(57)【要約】  本発明の医療用軟質容器１は、第１面部３と第２面部４とを含む容器本体部２を含んだ医療用軟質容器であって、容器本体部２は、液状物を収容可能とする収容部２１と、収容部２１よりも上方に配置され、第１面部３と第２面部４の上部が、各々、幅方向から指を受容可能とする内部空間を有する指挿入部２２１、２２２とを含み、各指挿入部２２１、２２２の内面のうちの、少なくとも指の挿入開始側において、エンボス加工が施されている。
2018030497.tif 000002
【特許請求の範囲】
【請求項１】
第１面部と第２面部とを含む容器本体部を含んだ医療用軟質容器であって、
前記容器本体部は、
液状物を収容可能とする収容部と、
前記収容部よりも上方に配置され、前記第１面部と前記第２面部の上部が、各々、幅方向から指を受容可能とする内部空間を有する指挿入部とを含み、
各指挿入部の内面に、エンボス加工が施されている、医療用軟質容器。
【請求項２】
各指挿入部の内面のうちの、少なくとも指の挿入開始側において、エンボス加工が施されている、請求項１に記載の医療用軟質容器。
【請求項３】
各指挿入部のうちの、前記容器本体部の外側に面する部分を外側シートと称し、前記容器本体部の内側に面する部分を内側シートと称することとすると、
前記外側シートと前記内側シートの互いに向かい合う面の少なくとも一方にエンボス加工が施されている、請求項１又は２に記載の医療用軟質容器。
【請求項４】
前記外側シートと前記内側シートの互いに向かい合う面の双方にエンボス加工が施されており、
前記外側シートに形成されたエンボス加工による第１凸部と、前記内側シートに形成されたエンボス加工による第２凸部とが、接している、請求項３に記載の医療用軟質容器。
【請求項５】
前記第１凸部及び前記第２凸部は、直線状凸部であり、
前記第１凸部の長手方向と前記第２凸部の長手方向が相互に異なる、請求項４に記載の医療用軟質容器。
【請求項６】
第１面部と第２面部とを含む容器本体部を含んだ医療用軟質容器であって、
前記容器本体部は、
液状物を収容可能とする収容部と、
前記収容部よりも上方に配置され、前記第１面部と前記第２面部の上部が、各々、幅方向から指を受容可能とする内部空間を有する指挿入部とを含み、
各指挿入部の少なくとも指の挿入開始側において、前記挿入開始側端から離れる方向に向かって、ひだ折り部が形成されている、医療用軟質容器。
【請求項７】
各指挿入部のうちの、前記容器本体部の、外側に面する部分を外側シートと称し、内側に面する部分を内側シートと称することとすると、
前記ひだ折り部は、前記外側シートに形成されている、請求項６に記載の医療用軟質容器。
【請求項８】
前記ひだ折り部は、各指挿入部の頂部に形成されている、請求項６に記載の医療用軟質容器。
【請求項９】
第１面部と第２面部とを含む容器本体部を含んだ医療用軟質容器であって、
前記容器本体部は、
液状物を収容可能とする収容部と、
前記収容部よりも上方に配置され、前記第１面部と前記第２面部の上部が、各々、幅方向から指を受容可能とする内部空間を有する指挿入部とを含み、
各指挿入部のうちの、前記容器本体部の外側に面する部分を外側シートと称し、前記容器本体部の内側に面する部分を内側シートと称することとすると、
前記外側シートと前記内側シートは１枚の連続したシートからなる、医療用軟質容器。
【請求項１０】
第１面部と第２面部とを含む容器本体部を含んだ医療用軟質容器であって、
前記容器本体部は、
液状物を収容可能とする収容部と、
前記収容部よりも上方に配置され、前記第１面部と前記第２面部の上部が、各々、幅方向から指を受容可能とする内部空間を有する指挿入部とを含み、
各指挿入部のうちの、前記容器本体部の外側に面する部分を外側シートと称し、前記容器本体部の内側に面する部分を内側シートと称することとすると、
前記外側シート及び前記内側シートのうちの少なくとも一方について、医療用軟質容器の外側又は内側に向かって屈曲した屈曲部を含む、医療用軟質容器。
【請求項１１】
第１面部と第２面部とを含む容器本体部を含んだ医療用軟質容器であって、
前記容器本体部は、
液状物を収容可能とする収容部と、
前記収容部よりも上方に配置され、前記第１面部と前記第２面部の上部が、各々、幅方向から指を受容可能とする内部空間を有する指挿入部とを含み、
各指挿入部のうちの、前記容器本体部の外側に面する部分を外側シートと称し、前記容器本体部の内側に面する部分を内側シートと称することとすると、
各指挿入部の上縁部と下縁部は、各々、前記外側シートと前記内側シートとが接合された上縁接合部と下縁接合部とを含み、
前記外側シートと前記内側シートの上下方向の長さが相互に異なる、医療用軟質容器。
【請求項１２】
請求項１から１１のいずれか一項に記載の医療用軟質容器を含む栄養供給システム。
【発明の詳細な説明】
【技術分野】
【０００１】
本発明は、医療用軟質容器及びこれを用いた栄養供給システムに関する。
【背景技術】
【０００２】
経口によらずに患者に栄養や薬剤を投与する方法の一例として経腸栄養法又は静脈栄養法が知られている。経腸栄養法では、患者の鼻腔から胃又は十二指腸にまで通されたチューブを介して栄養剤、流動食、又は薬剤などの液状物が投与される。また、静脈栄養法では、患者の静脈に挿入された輸液回路を介してブドウ糖などの栄養成分及び／又は薬剤成分を含む液状物（一般に「輸液」と呼ばれる）が投与される。【０００３】
経腸栄養法又は静脈栄養法を行う際には、患者に投与する液状物を空の医療用軟質容器に予め注入する作業が必要である。【０００４】
従来のパウチ容器の一例は、充填部に繋がる開口部が容器上部の表面シートと裏面シートとの間に形成された容器であり、表面シートと裏面シートの上部に、各々、シートが２重になっており内部に空間を有する袋状部を備える。袋状部は充填部から隔離された内部空間と、当該内部空間へ指を挿入するための挿入口を備えている。挿入口は、例えば、幅方向に開いた開口部であり、袋状部を構成する表面シートの幅方向一端には、当該開口部を広げ易くするために、平面視が半円状の切り欠きが形成されている（特許文献１）。【０００５】
特許文献１には、特許文献１に開示のパウチ容器では、親指と人差し指が袋状部内にすっぽりと挿入されるため、充填物（液状物）が指にかかることを防止でき、且つ、開口部を広げながら容器を安定的に保持できると記載されている。
【先行技術文献】
【特許文献】
【０００６】
【特許文献１】特開２０１４−２８６５２号公報
【発明の概要】
【発明が解決しようとする課題】
【０００７】
しかし、上記従来のパウチ容器では、挿入口への指の挿入性について、更なる改善が望まれる。【０００８】
本発明は、指挿入部への挿入性が良好な医療用軟質容器及び、当該医療用軟質容器を用いた栄養供給システムを提供する。
【課題を解決するための手段】
【０００９】
本発明の医療用軟質容器の一例は、第１面部と第２面部とを含む容器本体部を含んだ医療用軟質容器であって、
前記容器本体部は、
液状物を収容可能とする収容部と、
前記収容部よりも上方に配置され、前記第１面部と前記第２面部の上部が、各々、幅方向から指を受容可能とする内部空間を有する指挿入部とを含み、
各指挿入部の内面に、エンボス加工が施されている。【００１０】
本発明の医療用軟質容器の別の例は、第１面部と第２面部とを含む容器本体部を含んだ医療用軟質容器であって、
前記容器本体部は、
液状物を収容可能とする収容部と、
前記収容部よりも上方に配置され、前記第１面部と前記第２面部の上部が、各々、幅方向から指を受容可能とする内部空間を有する指挿入部とを含み、
各指挿入部の少なくとも指の挿入開始側端及びその近傍において、指の挿入開始側端から、前記挿入開始側端から離れる方向に向かって、ひだ折り部が形成されている。【００１１】
本発明の医療用軟質容器の別の例は、第１面部と第２面部とを含む容器本体部を含んだ医療用軟質容器であって、
前記容器本体部は、
液状物を収容可能とする収容部と、
前記収容部よりも上方に配置され、前記第１面部と前記第２面部の上部が、各々、幅方向から指を受容可能とする内部空間を有する指挿入部とを含み、
各指挿入部のうちの、前記容器本体部の外側に面する部分を外側シートと称し、前記容器本体部の内側に面する部分を内側シートと称することとすると、
前記外側シートと前記内側シートは１枚の連続したシートからなる。【００１２】
本発明の医療用軟質容器の別の例は、第１面部と第２面部とを含む容器本体部を含んだ医療用軟質容器であって、
前記容器本体部は、
液状物を収容可能とする収容部と、
前記収容部よりも上方に配置され、前記第１面部と前記第２面部の上部が、各々、幅方向から指を受容可能とする内部空間を有する指挿入部とを含み、
各指挿入部のうちの、前記容器本体部の外側に面する部分を外側シートと称し、前記容器本体部の内側に面する部分を内側シートと称することとすると、
前記外側シート及び前記内側シートのうちの少なくとも一方について、医療用軟質容器の外側又は内側に向かって屈曲した屈曲部を含む。【００１３】
第１面部と第２面部とを含む容器本体部を含んだ医療用軟質容器であって、
前記容器本体部は、
液状物を収容可能とする収容部と、
前記収容部よりも上方に配置され、前記第１面部と前記第２面部の上部が、各々、幅方向から指を受容可能とする内部空間を有する指挿入部とを含み、
各指挿入部のうちの、前記容器本体部の外側に面する部分を外側シートと称し、前記容器本体部の内側に面する部分を内側シートと称することとすると、
各指挿入部の上縁部と下縁部は、各々、前記外側シートと前記内側シートとが接合された上縁接合部と下縁接合部とを含み、
前記外側シートと前記内側シートの上下方向の長さが相互に異なる。【００１４】
本発明の栄養供給システムは、本発明の医療用軟質容器を含む。
【発明の効果】
【００１５】
本発明によれば、指挿入部への挿入性が良好な医療用軟質容器、及び当該医療用軟質容器を含む栄養供給システムを提供できる。
【図面の簡単な説明】
【００１６】
【図１】図１は、本発明の医療用軟質容器の一例の正面図である。
【図２】図２は、図１に示された医療用軟質容器の背面図である。
【図３】図３は、図１に示された医療用軟質容器の指挿入部の内側シートと外側シートとを離した状態を示した図である。
【図４】図４は、図１に示された医療用軟質容器の開口部を開口させた状態を説明した図面である。
【図５】図５は、図１に示された医療用軟質容器の部分拡大図である。
【図６】図６は、図２に示された医療用軟質容器の部分拡大図である。
【図７】図７は、図１に示された医療用軟質容器の部分拡大図である。
【図８】図８は、本発明の医療用軟質容器の他の一例の正面図である。
【図９】図９は、図８に示された医療用軟質容器の背面図である。
【図１０】図１０は、図８に示された医療用軟質容器の指挿入部の内側シートと外側シートとを離した状態を示した図である。
【図１１】図１１は、本発明の医療用軟質容器の他の一例の正面図である。
【図１２】図１２は、本発明の医療用軟質容器の他の一例の背面図である。
【図１３】図１３は、図１１に示された医療用軟質容器の指挿入部の内側シートと外側シートとを離した状態を示した図である。
【図１４】図１４は、本発明の医療用軟質容器の他の一例の正面図である。
【図１５】図１５は、本発明の医療用軟質容器の他の一例の背面図である。
【図１６】図１６は、図１４に示された医療用軟質容器の指挿入部の内側シートと外側シートとを離した状態を示した図である。
【図１７】図１７は、図１６に示した医療用軟質容器の部分拡大図である。
【図１８】図１８は、屈曲部の他の例を説明する図である。
【図１９】図１９は、本発明の医療用軟質容器の他の一例の正面図である。
【図２０】図２０は、本発明の医療用軟質容器の他の一例の背面図である。
【図２１】図２１は、図１９に示された医療用軟質容器の指挿入部の内側シートと外側シートとを離した状態を示した図である。
【図２２】図２２は、本発明の医療用軟質容器の他の一例の正面図である。
【図２３】図２３は、本発明の医療用軟質容器の他の一例の背面図である。
【図２４】図２４は、図２２に示された医療用軟質容器の指挿入部の内側シートと外側シートとを離した状態を示した図である。
【図２５】図２５は、本発明の栄養供給システムの一例の正面図である。
【発明を実施するための形態】
【００１７】
本発明は、更に以下［１］〜［28］を開示する。
【００１８】
［１］  第１面部と第２面部とを含む容器本体部を含んだ医療用軟質容器であって、
前記容器本体部は、
液状物を収容可能とする収容部と、
前記収容部よりも上方に配置され、前記第１面部と前記第２面部の上部が、各々、幅方向から指を受容可能とする内部空間を有する指挿入部とを含み、
各指挿入部の内面のうちの、少なくとも指の挿入開始側端及びその近傍において、エンボス加工が施されている、医療用軟質容器。
［２］  各指挿入部の内面のうちの、少なくとも指の挿入開始側において、エンボス加工が施されている、前記［１］に記載の医療用軟質容器。
［３］  各指挿入部のうちの、前記容器本体部の外側に面する部分を外側シートと称し、前記容器本体部の内側に面する部分を内側シートと称することとすると、
前記外側シートと前記内側シートの互いに向かい合う面の少なくとも一方にエンボス加工が施されている、前記［１］又は［２］に記載の医療用軟質容器。
［４］  前記外側シートと前記内側シートの互いに向かい合う面の双方にエンボス加工が施されており、
前記外側シートに形成されたエンボス加工による第１凸部の頂面と、前記内側シートに形成されたエンボス加工による第２凸部の頂面とが、接している、前記［３］に記載の医療用軟質容器。
［５］  前記第１凸部及び前記第２凸部は、直線状凸部であり、
前記第１凸部の長手方向と前記第２凸部の長手方向が相互に異なる、前記［４］に記載の医療用軟質容器。
［６］  第１面部と第２面部とを含む容器本体部を含んだ医療用軟質容器であって、
前記容器本体部は、
液状物を収容可能とする収容部と、
前記収容部よりも上方に配置され、前記第１面部と前記第２面部の上部が、各々、幅方向から指を受容可能とする内部空間を有する指挿入部とを含み、
各指挿入部の少なくとも指の挿入開始側において、前記挿入開始側端から離れる方向に向かって、ひだ折り部が形成されている、医療用軟質容器。
［７］  各指挿入部のうちの、前記容器本体部の、外側に面する部分を外側シートと称し、内側に面する部分を内側シートと称することとすると、
前記ひだ折り部は、前記外側シートに形成されている、前記［６］に記載の医療用軟質容器。
［８］  前記ひだ折り部は、各指挿入部の頂部に形成されている、前記［６］に記載の医療用軟質容器。
［９］  第１面部と第２面部とを含む容器本体部を含んだ医療用軟質容器であって、
前記容器本体部は、
液状物を収容可能とする収容部と、
前記収容部よりも上方に配置され、前記第１面部と前記第２面部の上部が、各々、幅方向から指を受容可能とする内部空間を有する指挿入部とを含み、
各指挿入部のうちの、前記容器本体部の外側に面する部分を外側シートと称し、前記容器本体部の内側に面する部分を内側シートと称することとすると、
前記外側シートと前記内側シートは１枚の連続したシートからなる、医療用軟質容器。
［10］  第１面部と第２面部とを含む容器本体部を含んだ医療用軟質容器であって、
前記容器本体部は、
液状物を収容可能とする収容部と、
前記収容部よりも上方に配置され、前記第１面部と前記第２面部の上部が、各々、幅方向から指を受容可能とする内部空間を有する指挿入部とを含み、
各指挿入部のうちの、前記容器本体部の外側に面する部分を外側シートと称し、前記容器本体部の内側に面する部分を内側シートと称することとすると、
前記外側シート及び前記内側シートのうちの少なくとも一方について、医療用軟質容器の外側又は内側に向かって屈曲した屈曲部を含む、医療用軟質容器。
［11］  前記屈曲部の長手方向が前記指挿入部の幅方向と平行である、前記［10］に記載の医療用軟質容器。
［12］  前記屈曲部が、前記指挿入部の全幅に渡って形成されている、前記［11］に記載の医療用軟質容器。
［13］  前記屈曲部は、前記外側シート及び前記内側シートのうちの少なくとも一方に、溝を形成することによって形成された薄肉部である、前記［12］に記載の医療用軟質容器。
［14］  第１面部と第２面部とを含む容器本体部を含んだ医療用軟質容器であって、
前記容器本体部は、
液状物を収容可能とする収容部と、
前記収容部よりも上方に配置され、前記第１面部と前記第２面部の上部が、各々、幅方向から指を受容可能とする内部空間を有する指挿入部とを含み、
各指挿入部のうちの、前記容器本体部の外側に面する部分を外側シートと称し、前記容器本体部の内側に面する部分を内側シートと称することとすると、
各指挿入部の上縁部と下縁部は、各々、前記外側シートと前記内側シートとが接合された上縁接合部と下縁接合部とを含み、
前記外側シートと前記内側シートの上下方向の長さが相互に異なる、医療用軟質容器。
［15］  前記容器本体部の両側部のうちの、前記指挿入部の指の挿入開始側に近い側部の辺が曲っていることによって、１対の指挿入部の幅が収容部の幅よりも狭い、前記［１］から［14］のいずれかに記載の医療用軟質容器。
［16］  前記指挿入部の指の挿入開始側において、前記外側シート及び前記内側シートのうちのいずれか一方に切り欠き部が形成されている、前記［３］から［５］、［７］から［14］のいずれかに記載の医療用軟質容器。
［17］  各指挿入部の上縁部と下縁部は、各々、前記外側シートと前記内側シートとが接合された上縁接合部と下縁接合部とを含み、
前記切り欠き部は、前記上縁接合部との間、及び、前記下縁接合部との間に、各々、前記外側シートの一部が残るように、前記指挿入部の指の挿入開始側の端部に形成されている、前記［16］に記載の医療用軟質容器。
［18］  前記切り欠き部の輪郭を構成する辺は、略Ｕ字状であり、
前記Ｕ字状の底部の辺は、前記医療用軟質容器の底側へ向かう方向に沿って、挿入開始側端からの距離が漸次大きくなる方向に傾斜している、前記［17］に記載の医療用軟質容器。
［19］  前記内側シート及び前記外側シートのうちの少なくとも一方に孔が形成されており、一方の指挿入部に片手の親指を挿入し、他方の指挿入部に前記片手の前記親指以外の指を挿入して１対の指挿入部を相互に遠ざけたときに、前記孔を谷部として１対の指挿入部がくの字状に屈曲する、前記［３］から[５]、[７]から[14]、［16］から［18］のいずれかの項に記載の医療用軟質容器。
［20］  前記孔は、各指挿入部に挿入された指の先端よりも、より前記指挿入部の指の挿入開始側の近くに形成されている、前記［19］に記載の医療用軟質容器。
［21］  前記孔は、前記指挿入部の指の挿入開始端から前記収容部の全幅の３分の２よりも近い位置に形成された、前記［19］又は［20］に記載の医療用軟質容器。
［22］  前記孔は、長手方向が容器本体部の上下方向に沿った縦長孔である、前記［19］から［21］のいずれかに記載の医療用軟質容器。
［23］  前記孔の上端部の輪郭は円弧状であり、前記上端部より下方の部分は、孔の幅が下端から上端部に向かって漸次広くなっている、前記［19］から［22］のいずれかに記載の医療用軟質容器。
［24］  前記孔は、前記収容部を幅方向に２等分する垂直中心線の延長線上に形成された、前記［19］から［23］のいずれかに記載の医療用軟質容器。
［25］  前記容器本体部の下端に排出口が形成されており、
前記排出口の中心軸と前記垂直中心線の延長線とが一致する、前記［24］に記載の医療用軟質容器。
［26］  前記孔は、前記内側シートと前記外側シートの両方の幅方向同位置に形成された、前記［19］から［25］のいずれか一項に記載の医療用軟質容器。
［27］  前記孔は、前記医療用軟質容器の吊り下げ用孔を兼ねる、前記［26］に記載の医療用軟質容器。
［28］  前記［1］から［27］のいずれかに記載の医療用軟質容器を含む栄養供給システム。
【００１９】
以下、本発明の医療用軟質容器の具体例について、図面を用いて説明する。
【００２０】
（実施形態１）
図１は、本発明の医療用軟質容器の一例の正面図であり、図２は、図１に示された医療用軟質容器１の背面図であり、図３は、医療用軟質容器１の指挿入部の内側シートと外側シートとを離した状態を示した図である。図４は、医療用軟質容器１の開口部を開口させた状態を説明した図面であり、図５〜図７は、医療用軟質容器１の部分拡大図である。以下の説明の便宜のため、図１の紙面の上下方向を医療用軟質容器の「上下方向」、当該「上下方向」と直交する方向を「幅方向」と言う。「上下方向」は、医療用軟質容器の中心軸の長手方向と等しい。
【００２１】
図１〜図７に示された医療用軟質容器１は、容器本体部２と、容器本体部２の排出口２６に固定された排出用ポート５とを含む。容器本体部２は、液状物を収容するための収容部２１と、収容部２１の上方に配置された１対の指挿入部２２１，２２２（以下「指挿入部２２１」は、「第１指挿入部２２１」と、「指挿入部２２２」は「第２指挿入部２２２」とも言う。）と、を含む。
【００２２】
容器本体部２は、第１面部３と第２面部４の外周縁部のうちの３辺が相互に熱接着（ヒートシール）等されることにより形成された周縁接合部２３を備えており、容器本体部２の上部における第１面部３と第２面部４の間に、収容部２１につながる開口部２４を有する。収容部２１内に液状物が充填される際、開口部２４は収容部２１よりも上に位置する。第１面部３と第２面部４には、各々、収容部２１に注入される液状物の量を確認するための目盛りが表示されている。
【００２３】
容器本体部２の内面のうちの、指挿入部２２１，２２２よりも下方には、収容部２１を、収容部２１の外側に対して開閉自在とするジップ２５（再開閉自在とする係合部、別名「チャックシール」とも言う。）を備えている。ジップ２５は、従来から公知の方法にて成形できる。
【００２４】
図３からよく分かるように、第１面部３は、相対的に面積が大きい第１シート３１と、第１シート３１よりも面積が小さく、第１シート３１のジップ２５よりも上側の内面に熱接着等により接合された第１内側シート３１ａと、を含む。第１内側シート３１ａは、幅方向からの指の挿入を可能とするために、幅方向に開いた開口を少なくとも１つ形成するように、少なくとも、その上縁部と下縁部とが第１シート３１に接合されている。
【００２５】
ここで、第１シート３１のうちの指挿入部２２１を構成する部分を第１外側シート３１ｂと称することとすると、第１面部３は、収容部２１よりも上方に配置され、第１内側シート３１ａと第１外側シート３１ｂとを含み、幅方向から第１内側シート３１ａと第１外側シート３１ｂと間に指を挿入可能とする第１指挿入部２２１を含む。第１指挿入部２２１を構成する第１内側シート３１ａと第１外側シート３１ｂの上下方向の長さは等しいので、第１内側シート３１ａと第１外側シート３１ｂは、相互に弛むことなく積層されている。図１等に示されるように、第１指挿入部２２１の上縁部と下縁部は、各々、第１外側シート３１ｂと第１内側シート３１ａとが接合された第１上縁接合部２２１ｃと第１下縁接合部２２１ｄとを含む。
【００２６】
一方、図３からよく分かるように、第２面部４は、相対的に面積が大きい第２シート４１と、第２シート４１よりも面積が小さく、第２シート４１のジップ２５よりも上側の内面に接合された第２内側シート４１ａとを含む。第２内側シート４１ａは、幅方向からの指の挿入を可能とするために、幅方向に開いた開口を少なくとも１つ形成するように、少なくとも、その上縁部と下縁部とが第２シート４１に接合されている。
【００２７】
ここで、第２シート４１のうちの指挿入部２２２を構成する部分を第２外側シート４１ｂと称することとすると、第２面部４は、収容部２１よりも上方に配置され、第２内側シート４１ａと第２外側シート４１ｂとを含み、幅方向から第２内側シート４１ａと第２外側シート４１ｂと間に指を挿入可能とする第２指挿入部２２２を含む。第２指挿入部２２２を構成する第２内側シート４１ａと第２外側シート４１ｂの上下方向の長さは等しいので、第２内側シート４１ａと第２外側シート４１ｂは、相互に弛むことなく積層されている。図２等に示されるように、第２指挿入部２２２の上縁部と下縁部は、各々、第２外側シート４１ｂと第２内側シート４１ａとが接合された第２上縁接合部２２２ｃと第２下縁接合部２２２ｄとを含む。
【００２８】
尚、以下、「第１内側シート」と「第２内側シート」をともに「内側シート」と略称し、「第１外側シート」と「第２外側シート」をともに「外側シート」と略称する場合がある。また、「第１上縁接合部」と「第２上縁接合部」をともに「上縁接合部」と略称し、「第１下縁接合部」と「第２下縁接合部」をともに「下縁接合部」と略称する場合がある。
【００２９】
図７に示されるように、第１外側シート３１ｂの内面（第１内側シート３１ａに向かい合う面）には、エンボス加工がされていることにより、第１内側シート３１ａ側に突出した第１凸部３２ｅが形成されている。一方、第１内側シート３１ａの内面（第１外側シート３１ｂに向かい合う面）には、エンボス加工がされていることにより、第１外側シート３１ｂ側に突出した第２凸部３２ｆが形成されている。
【００３０】
第１凸部３２ｅは、長手方向が医療用軟質容器１の幅方向と一致する線状凸部であり、第１外側シート３１ｂの内面には、複数の第１凸部３２ｅが、幅方向に沿って等間隔で形成されている。一方、第２凸部３２ｆは、長手方向が医療用軟質容器１の上下方向と一致する線状凸部であり、第１内側シート３１ａの内面には、複数の第２凸部３２ｆが、上下方向に沿って等間隔で形成されている。そして、図７に示されるように、例えば、第１凸部３２ｅの長手方向と第２凸部３２ｆの長手方向とが直交し、且つ、第１凸部３２ｅの頂面３２１ｅと第２凸部３２ｆの頂面３２１ｆとが当接する位置関係で、第１外側シート３１ｂと第１内側シート３１ａとが重ね合わされている。そのため、第１外側シート３１ｂと第１内側シート３１ａとは、製袋の過程で相互に密着することが抑制されるとともに、両者の間にわずかながら隙間が存在することとなるため、指挿入部２２１への指の挿入性が向上している。製袋過程における、第１凸部３２ｅと第２凸部３２ｆの位置合わせは、各凸部が線状であり、一方が幅方向に配向し、他方が上下方向に配向しているので、容易に行える。
【００３１】
同様に、第２外側シート４１ｂの第２内側シート４１ａに向かい合う面にも線状の第１凸部が形成され、第２内側シート４１ａの第２外側シート４１ｂに向かい合う面にも線状の第２凸部が形成されているので、指挿入部２２２への指の挿入性も向上している。
【００３２】
図１に示されるように、第１指挿入部２２１の第１内側シート３１ａと第１外側シート３１ｂの各々に、容器本体部２の上下方向に沿った縦長孔６ｂ、６ａが形成されている。第１縦長孔６ｂ、６ａは、医療用軟質容器１の幅方向同位置に形成されている。図２に示されるように、第２指挿入部２２２の第２内側シート４１ａと第２外側シート４１ｂの各々にも、容器本体部２の上下方向に沿った第２縦長孔７ｂ、７ａが形成されている。第２縦長孔７ｂ、７ａは、医療用軟質容器１の幅方向同位置に形成されている。尚、以下、「第１縦長孔」と「第２縦長孔」をともに「縦長孔」と略称する場合がある。また、本願において「縦長孔」は、上下方向の長さの方が、幅方向の長さよりも長い孔を言う。
【００３３】
ジップ２５等の開閉手段による収容部２１の閉じた状態が解除された医療用軟質容器１に対して、図４に示されるように、第１指挿入部２２１に例えば片手の指の親指を挿入し、第２指挿入部２２２に例えば前記片手の指の親指以外の指（例えば人差し指）を挿入し、第１指挿入部２２１と第２指挿入部２２２を相互に引き離すために、当該親指と人差し指とを各々遠ざければ、第１指挿入部２２１及び第２指挿入部２２２に、各々、縦長孔が形成されていることによって、縦長孔を谷部として１対の指挿入部２２１、２２２が、各々、くの字状に屈曲する。そのため、指に対するシートの追従性が良く、開口部２４が大きく開くので、開口部２４の開口操作が行い易い。開口部２４を開いた状態では、液状物の収容部２１への注入方向からみて、開口部２４は、例えば、略ひし形となる。また、図１〜図７に示された医療用軟質容器１では、内側シート及び外側シートの両方に孔が形成されているため、指に対するシートの追従性が向上しているだけでなく、指の可動域が広くなっており、故に、開口部２４がより大きく開きやすく、開口部２４の開口操作がより行い易い。
【００３４】
指挿入部２２１、２２２における第１縦長孔６ｂ、６ａ及び第２縦長孔７ｂ、７ａの形成位置については、指挿入部２２１、２２２内に挿入された指によって、指挿入部２２１、２２２が、各々、孔を谷部として、くの字状に屈曲する限りにおいて特に制限はない。指挿入部２２１、２２２内に挿入された指の先端は、各々、第１縦長孔６ｂ、６ａ、第２縦長孔７ｂ、７ａに達していなくてもよいが、例えば、第１縦長孔６ｂ、６ａ及び第２縦長孔７ｂ、７ａのうちの少なくとも一方が、指挿入部２２１、２２２に挿入された指の先端よりも、より指挿入部２２１、２２２の指の挿入開始側端２２１ａ、２２２ａの近くに形成されていると好ましく、第１縦長孔６ｂ、６ａ及び第２縦長孔７ｂ、７ａの両方が、指挿入部２２１、２２２に挿入された指の先端よりも、より指挿入部２２１、２２２の指の挿入開始側端２２１ａ、２２２ａの近くに形成されているとより好ましい。また、例えば、縦長孔は、指挿入部２２１、２２２の指の挿入開始端２２１ａ、２２２ａから収容部２１の全幅の３分の２よりも近い位置に形成されていると好ましく、収容部２１の全幅の２分の１の位置に形成されているとより好ましい。
【００３５】
図４では、第１指挿入部２２１に挿入された親指は、第１縦長孔６ｂを貫通して第１外側シート３１ｂから第１指挿入部２２１の外側に突き出ており、第１縦長孔６ｂの輪郭を構成する第１外側シート３１ｂが指の上に乗っている。第２指挿入部２２２に挿入された前記片手の指の親指以外の指（例えば人差し指）は、第２縦長孔７ｂを貫通して第２外側シート４１ｂから第２指挿入部２２２の外側に突き出ており、第２縦長孔７ｂの輪郭を構成する第２外側シート４１ｂが指の上に乗っている。そのため、指の稼働域がより広がるため、開口部２４をより一層大きく開くことができ、開口部２４の開口操作がより一層行い易い。また、第１縦長孔６ｂ及び第２縦長孔７ｂの輪郭線を構成する外側シートが指の上に乗っているので、液状物の収容部２１への注入の最中に、収容部２１が重くなっても、医療用軟質容器１の保持が安定的に行える。指挿入部２２１、２２２に挿入される指のうちのいずれか一方のみが、縦長孔を貫通するように、指挿入部に縦長孔が形成されていてもよい。
【００３６】
図１〜図７に示した形態では、第１外側シート３１ｂ及び第２外側シート４１ｂのみならず、第１内側シート３１ａ及び第２内側シート４１ａにも縦長孔が形成されており、しかも、第１指挿入部の縦長孔と第２指挿入部の縦長孔が、医療用軟質容器１の幅方向同位置に形成されているので、医療用軟質容器の製造過程において、第１指挿入部の縦長孔と第２指挿入部の縦長孔の両方を切断により同時に形成でき、医療用軟質容器の生産性が向上し、好ましい。
【００３７】
図１及び図２に示されるように、第１縦長孔６ａ，６ｂ及び第２縦長孔７ａ，７ｂの上端部の輪郭は円弧状である。そして、上端部より下方の部分は、孔の幅が下端から上端部に向かって漸次広くなっている。そのため、図４に示されるように、第１指挿入部２２１と第２指挿入部２２２とを相互に引き離した際に、第１指挿入部２２１と第２指挿入部２２２は、縦長孔６ａ，７ａから露出した指を、第１内側シート３１ａ及び第２内側シート４１ａによって開口部２４に対して隠すように屈曲する。従って、第１内側シート３１ａ及び第２内側シート４１ａに縦長孔６ａ，７ａが形成されていても、第１内側シート３１ａ及び第２内側シート４１ａの縦長孔６ａ，７ａの近傍の部分によって、指がほぼ覆い隠され、指が、開口部２４から実質的に隔離され、液状物の汚染も抑制される。
【００３８】
収容部２１に液状物が注入されると、縦長孔を貫通した指に指挿入部を構成するシートが指に押さえつけられ、その結果、特に、縦長孔の開口のうちの上側部分の幅が狭くなる。指へのシートの追従性を向上させたり、指の可動域を広げるためには、縦長孔の開口部分の幅は広い方が好ましい。そのため、指へのシートの追従性を向上させたり、又は指の可動域を広げて、開口部の開口操作を向上させる観点から、図１及び図２に示されるように、縦長孔の開口のうちの上側部分が下側部分よりも相対的に面積が大きい方が好ましい。また、第１内側シート３１ａ及び第２内側シート４１ａの縦長孔６ａ，７ａの近傍の部分によって、開口部２４に対して指をほぼ覆い隠すようにして、指の液状物による汚染を抑制する観点から、縦長孔の開口のうちの下側部分が上側部分よりも相対的に面積が小さい方が好ましい。
【００３９】
縦長孔を吊り下げ孔として利用する場合、液状物の重さによる負荷を分散する観点から、円弧のＲは大きい方が好ましく、例えば、５ｍｍ以上１０ｍｍ以下であると好ましい。
【００４０】
第１面部３及び第２面部４の材料について特に制限はなく、医療用軟質容器１の製造に用いられる従来公知の軟質プラスチックシートが使用できる。具体的には、例えば、塩化ビニル樹脂、ポリエチレン、エチレン−酢酸ビニル共重合体、ポリエステル、ポリブタジエン、ポリプロピレン、ポリアミド、エチレン−メタクリレート共重合体等からなる単層シート、又は上記単層シートが積層された積層シートが挙げられる。積層シートの具体的層構成としては、例えば、ナイロン／ポリエチレン、ナイロン／ポリプロピレン，ポリエチレンテレフタレート／ポリエチレン、ポリエチレンテレフタレート／ポリプロピレン，ポリプロピレン／ポリエチレン、ナイロン／ポリプロピレン／ポリエチレン等が挙げられる。軟質プラスチックシートの厚さは、例えば、０．０１ｍｍ以上０．３ｍｍ程度である。
【００４１】
排出用ポート５は、例えば、管状である。排出用ポート５は、容器本体部２内外を、連通可能とするように、排出口２６において、第１面部３と第２面部４に挟まれて、容器本体部２に固定されている。
【００４２】
排出口２６及び排出用ポート５は、収容部２１を幅方向に２等分する垂直中心線Ａの延長線上に配置されている。排出用ポート５の容器本体部２への固定は、排出口２６において、第１シート３１と第２シート４１との間に排出用ポート５に配置して、第１シート３１と第２シート４１の外周縁部同士を熱接着させることで行える。
【００４３】
排出用ポート５の材料としては、環状ポリオレフィン、ポリカーボネート、ポリエチレンテレフタレート、ポリプロピレン、ポリエチレンナフタレート、ＥＶＡ（エチレン酢酸ビニル共重合体）、ポリエチレン等が挙げられる。
【００４４】
排出口２６及び排出用ポート５が、垂直中心線Ａの延長線上に配置されている場合、第１縦長孔６ａ，６ｂ及び第２縦長孔７ａ，７ｂも、垂直中心線Ａの延長線上に形成すれば、第１縦長孔６ａ，６ｂ及び第２縦長孔７ａ，７ｂは、医療用軟質容器１をスタンド等へ吊り下げるための吊り下げ用孔を兼ねることもできる。
【００４５】
容器本体部２の幅方向両側部のうちの、指挿入部２２１、２２２の指の挿入開始側端２２１ａ、２２２ａを含む側部の辺が曲っていることによって、指挿入部２２１、２２２の幅を収容部２１の幅よりも狭くなっている。そのため、垂直中心線Ａの延長線上に第１縦長孔６ａ，６ｂ及び第２縦長孔７ａ，７ｂを設けつつ、挿入開始側端２２１ａ、２２２ａから第１縦長孔６ａ，６ｂ及び第２縦長孔７ａ，７ｂまでの距離を、指挿入部２２１、２２２に挿入された指のうちの、少なくとも一方を縦長孔に到達させ、好ましくは両方を縦長孔に到達させ、更に好ましくは少なくとも一方を縦長孔を貫通させて外側シートから指挿入部の外側に突き出させ、更により好ましくは両方を縦長孔を貫通させて外側シートから指挿入部の外側に突き出させることが可能なように設定し易い。
【００４６】
垂直中心線Ａの延長線と第１縦長孔６ａ，６ｂ及び第２縦長孔７ａ，７ｂの中心軸とが一致する場合、挿入開始側端２２１ａ、２２２ａから、第１縦長孔及び第２縦長孔の中心軸までの距離は、開口部２４の開口操作性と医療用軟質容器１の保持性の向上の観点から、好ましくは４０ｍｍ以上８０ｍｍ以下であり、より好ましくは４０ｍｍ以上６０ｍｍ以下である。
【００４７】
第１指挿入部２２１、第２指挿入部２２２の指の挿入開始側端２２１ａ、２２２ａ及びその近傍において、第１外側シート３１ｂと第２外側シート４１ｂに第１切り欠き部３２、第２切り欠き部４２が形成されており、第１切り欠き部３２、第２切り欠き部４２から、各々、第１内側シート３１ａと第２内側シート４１ａの内側面が露出している。そのため、第１指挿入部２２１の内部空間２２１ｇ、第２指挿入部２２２の内部空間２２２ｇへの指の挿入が行い易くなっている。
【００４８】
第１切り欠き部３２、第２切り欠き部４２の上下方向の最大長は、各指挿入部内における指の可動域を確保する観点から、各々、第１縦長孔６ａ，６ｂ、第２縦長孔７ａ，７ｂの上下方向の最大長よりも大きく、そして、第１縦長孔６ａ，６ｂ及び第２縦長孔７ａ，７ｂの上下方向位置は、第１切り欠き部３２及び第２切り欠き部４２のそれと、完全に一致していると好ましい。
【００４９】
図５に示されるように、第１切り欠き部３２は、各々、第１上縁接合部２２１ｃとの間、及び、第１下縁接合部２２１ｄとの間に、各々、第１外側シート３１ｂの一部が残るように第１外側シート３１ｂに形成されている。そのため、液状物の収容部２１への注入最中等に、第１外側シート３１ｂのうちの、第１上縁接合部２２１ｃ及び第１下縁接合部２２１ｄに隣接する部分に、液状物の重さによる負担が集中することが抑制されている。同様の理由から、図６に示されるように、第２切り欠き部４２も、各々、第２上縁接合部２２２ｃとの間、及び、第２下縁接合部２２２ｄとの間に、各々、第２外側シート４１ｂの一部が残るように、第２指挿入部２２２の指の挿入開始側端２２２ａ及びその近傍に形成されている。
【００５０】
図５に示されるように、第１切り欠き部３２の輪郭線のうちの、前記「第１外側シート３１ｂの一部」に対応する部分３２ａ（上側輪郭開始端部），３２ｂ（下側輪郭開始端部）を、第１切り欠き部３２の幅方向と平行であるか又は実質的に平行とすれば、「第１外側シート３１ｂの一部」は、第１指挿入部２２１内への指の挿入方向を規制しつつ、より奥への指の挿入を許容する、第１上側ガイド部２２１ｅ及び第１下側ガイド部２２１ｆとして機能するので、好ましい。同様の理由から、図６に示されるように、第２切り欠き部４２の輪郭線の一部分４２ａ（上側輪郭開始端部），４２ｂ（下側輪郭開始端部）を第２切り欠き部４２の幅方向と平行であるか又は実質的に平行とし、第２外側シート４１ｂが、第２上側ガイド部２２２ｅ及び第２下側ガイド部２２２ｆを備えていると好ましい。
【００５１】
図５及び図６に示されるように、縦長孔６ｂ、７ｂの頂部６１、７１は、輪郭線の一部分３２ａ、４２ａよりも僅かに下に配置されていると、指挿入部２２１，２２２に挿入され、縦長孔６ｂ、７ｂから指挿入部２２１，２２２の外側に突き出した指の上に外側シート３１ｂ，４１ｂが乗りやすく、液状物の収容部２１内への注入の最中に、当該指で、医療用軟質容器１の良好な姿勢の担保が行い易く、好ましい。
【００５２】
切り欠き部３２、４２の輪郭線は、部分３２ａ、４２ａに隣接して、医療用軟質容器１の底側へ向かう方向に沿って、挿入開始側端２２１ａ、２２２ａからの距離が漸次大きくなる方向に傾斜した傾斜線３２ｃ、４２ｃを含んでいると、指挿入部２２１、２２２内へ指をより深く挿入でき好ましい。
【００５３】
切り欠き部３２、４２の輪郭線において、部分３２ｂ、４２ｂと傾斜線３２ｃ、４２ｃが、弧状線３２ｄ、４２ｄによって繋がれていると、切り欠き部３２、４２の輪郭線のうちの傾斜線３２ｃ、４２ｃの下部付近に、液状物の重みによる負荷が集中することが抑制されるので、好ましい。したがって、切り欠き部３２、４２を平面視すると、その輪郭線は、略Ｕ字状であり、Ｕ字状の底部の部分は、医療用軟質容器１の底側へ向かう方向に沿って、挿入開始側端２２１ａ、２２２ａからの距離が漸次大きくなる方向に傾斜していると、好ましい。
【００５４】
図１〜図７を用いて説明した本発明の医療用軟質容器の一例では、各指挿入部を構成する、内側シート３１ａ，４１ａと外側シート３１ｂ，４１ｂの互いに向かい合う面の双方に双方に、エンボス加工が施されており、第１凸部と第２凸部とが当接している。そのため、内側シートと外側シートとの間の隙間が、内側シートの内面と外側シートの内面うちのいずれか一方のみにエンボス加工が施されている場合よりも大きく、指の挿入性の向上に効果的であるので好ましいが、本発明は、この態様に限定されず、内側シートと外側シートのうちのいずれか一方のみにエンボス加工が施された態様も包含する。
【００５５】
図１〜図７を用いて説明した本発明の医療用軟質容器の一例では、本発明は、第１凸部の頂面と第２凸部の頂面とが当接する限り、各凸部の形状、長手方向等は、特に限定されない。例えば、第１凸部と第２凸部がともに直線状凸部であり、第１凸部の長手方向と第２凸部の長手方向が相互に異なっていれば、製袋過程において、両者の位置合わせにより両凸部の頂面を容易に当接させることができる。
【００５６】
図１〜図７を用いて説明した本発明の医療用軟質容器の一例では、第１凸部と第２凸部は、各々、外側シートの内面の全領域、内側シートの内面の全領域に形成されている。しかし、製袋の過程で外側シートと内側シートとが相互に密着することが抑制され、外側シートと内側シートの間にわずかながら隙間が存在することとなって、指の挿入性が向上するのであれば、各指挿入部の内面の何れの箇所に、エンボス加工が施こされていてもよい。指挿入部への指の挿入性の向上の観点から、各指挿入部の内面のうちの、少なくとも指の挿入開始側端及びその近傍に、エンボス加工がなされていると好ましい。
【００５７】
図１〜図７を用いて説明した本発明の医療用軟質容器の一例では、第１指挿入部の縦長孔と第２指挿入部の縦長孔は、生産性の向上の観点から、医療用軟質容器１の幅方向同位置に形成されており、第１指挿入部の縦長孔の輪郭と第２指挿入部の縦長孔の輪郭は、医療用軟質容器１の厚み方向から見て完全に一致しているが、これらは、医療用軟質容器１の上下方向および幅方向の少なくなくとの一方において、ずれていてもよい。
【００５８】
図１〜図７を用いて説明した本発明の医療用軟質容器の一例では、収容部２１内外の連通を可能とする手段が、ジップ（チャックシール）等の係合部であるが、指挿入部２２１、２２２による開口部２４の開口操作、開口状態の維持、及び液状物の収容部２１への注入操作性が妨げられない限り、前記手段は従来から公知の他の手段であってもよい。
【００５９】
図１〜図７を用いて説明した本発明の医療用軟質容器の一例では、排出口２６に固定された排出用ポート５を備えているが、本発明の医療用軟質容器は、排出用ポートを備えない状態で取引されてもよい。
【００６０】
第１面部３と第２面部４には、各々、収容部２１に注入される液状物の量を確認するための目盛りが表示されているので、特に、収容部２１に注入される液状物が不透明である場合に、利き手のいかんにかかわらず医療用軟質容器を使用できるため好ましい。しかし、目盛りは、第１面部３のみ又は第２面部４のみに表示されていてもよい。
【００６１】
図１〜図７を用いて説明した本発明の医療用軟質容器の一例では、外側シート３１ｂ，４１ｂが、各々、第１シート３１、第２シート４１の一部であるが、これに代えて、内側シート３１ａ，４１ａが、第１シート３１、第２シート４１の一部であり、外側シート３１ｂ，４１ｂが、第１シート３１、第２シート４１とは別のシートであってもよい。
【００６２】
図１〜図７を用いて説明した本発明の医療用軟質容器の一例では、外側シート３１ｂ，４１ｂは、各々、第１シート３１、第２シート４１の一部であるが、収容部２１を構成するシートとは別個に用意されたシートであり、熱接着等により、収容部２１を構成するシートと接合されていてもよい。
【００６３】
図１〜図７を用いて説明した本発明の医療用軟質容器の一例では、外側シート３１ｂ，４１ｂと、内側シート３１ａ，４１ａは、各々、別個に用意されたシートであるが、外側シートと内側シートは、１枚の連続したシートであってもよい。
【００６４】
図１〜図７を用いて説明した本発明の医療用軟質容器の一例では、指操作部２２１、２２２に形成された孔は、縦長孔であり、医療用軟質容器の保持の安定的が向上するという理由から、好ましくは指の太さ程度の幅の開口を有する縦長孔であるが、指挿入部を構成するシートの指に対する追従性の向上に寄与するのであれば、孔は、真円、横長孔、三角形、逆三角形、四角等であってもよい。
【００６５】
本発明の医療用軟質容器の一例は、従来から公知のパウチ容器の製造方法により製造できるが、生産性の向上の観点から、例えば、図１〜図７に示した医療用軟質容器１は、下記方法により製造できる。
【００６６】
まず、第１シート３１の長尺体、第２シート４１の長尺体、第１内側シート３１ａの長尺体、第２内側シート４１ａの長尺体、及びジップ２５の長尺体を各々用意する。
【００６７】
次いで、第１シート３１の長尺体と第２シート４１の長尺体とを、その長手方向に搬送しながら互いに重ね合わせ、第１シート３１の長尺体と第２シート４１の長尺体の間に、第１内側シート３１ａの長尺体、第２内側シート４１ａの長尺体、及びジップ２５の長尺体を，各々、所定の位置に挿入する（積層工程）。
【００６８】
次いで、各長尺体同士が所定の位置で適切に接合されるようにヒートシールして、各長尺体の一体化物を形成する（接合工程）。具体的には、周縁接合部２３、上縁接合部２２１ｃ、２２２ｃ、下縁接合部２２１ｄ、２２２ｄとなる箇所を形成し、ジップ２５の長尺体を第１シート３１の長尺体と第２シート４１の長尺体の双方に接合する。
【００６９】
次いで、複数の容器本体部を作製するように、一体化物を切断する（切断工程）。当該切断工程において、縦長孔を形成する。また、本発明の医療用軟質容器の製造方法の他の一例では、前記積層工程、接合工程、及び切断工程に加えて、排出用ポート５を熱接着により容器本体部２の排出口２６に固定する工程を更に含む。
【００７０】
外側シートに切り欠き部が形成された形態では、積層工程の最中かあるいは積層工程の前に、第１シートの長尺体と第２シートの長尺体の各々の所定の位置に、切り欠き部となりうる孔を形成すればよい。
【００７１】
（実施形態２）
図８は本発明の医療用軟質容器の他の一例の正面図であり、図９は図８に示した医療用軟質容器１０の背面図であり、図１０は、医療用軟質容器１０の指挿入部の内側シートと外側シートとを離した状態を示した図である。図８〜図１０において、同一名称の部材については，図１〜図７を用いて説明した医療用軟質容器１の場合と同一の符号を付しており、その詳細説明は省略する。
【００７２】
図８から図１０に示されるように、医療用軟質容器１０には、指挿入部２２１、２２２を構成する外側シート３１ｂ、４１ｂと内側シート３１ａ，４１ａには、エンボス加工がされておらず、第１凸部及び第２凸部に代えて、各々、ひだ折り部８１、８２が形成されている。ひだ折り部８１、８２は、各々、指挿入部の外側に向かって突出したひだ山を有する。ひだ折り部８１、８２は、各々、指挿入部２２１、２２２の少なくとも指の挿入開始側において、挿入開始側端２２１ａ，２２２ａから離れる方向に向かって形成されている。より具体的には、ひだ折り部８１、８２は、各々、外側シート３１ｂ、４１ｂの切り欠き部３２、４２から、下縁接合部２２１ｄ、２２２ｄに向かって形成されており、ひだ折り部８１、８２のひだ幅は、下縁接合部２２１ｄ、２２２ｄに向かって狭くなっている。
【００７３】
指挿入部２２１、２２２に、ひだ折り部８１、８２が形成されているので、外側シート３１ｂ、４１ｂと内側シート３１ａ，４１ａが、製袋の過程で相互に密着することが抑制されるとともに、両者の間にわずかながら隙間が存在することとなるため、指挿入部２２１、２２２への指の挿入性が向上している。
【００７４】
尚、図８〜図１０を用いて説明した例では、ひだ折り部８１、８２は、指挿入部２２１、２２２を構成する外側シート３１ｂ、４１ｂに形成されているが、内側シート３１ａ、４１ａに形成されていてもよい。
【００７５】
（実施形態３）
図１１は本発明の医療用軟質容器の他の一例の正面図であり、図１２は図１１に示した医療用軟質容器１１の一例の背面図であり、図１３は、医療用軟質容器１１の指挿入部の内側シートと外側シートとを離した状態を示した図である。図１１〜図１３において、同一名称の部材については，図１〜図７を用いて説明した医療用軟質容器１の場合と同一の符号を付しており、その詳細説明は省略する。
【００７６】
医療用軟質容器１１には、指挿入部２２１、２２２を構成する外側シート３１ｂ、４１ｂと内側シート３１ａ，４１ａには、エンボス加工がされておらず、第１凸部及び第２凸部に代えて、ひだ折り部８３、８４が形成されている。ひだ折り部８３、８４は、各々、指挿入部の内側に向かって突出したひだ山を有する。ひだ折り部８３、８４は、各々、指挿入部２２１、２２２の頂部において、指挿入部２２１、２２２の全幅に渡って形成されている。ひだ折り部８３、８４のひだ幅は、指挿入部２２１、２２２の全幅に渡って一定である。
【００７７】
本実施形態においても実施形態２と同様に、指挿入部２２１、２２２に、ひだ折り部８３、８４が形成されているので、外側シート３１ｂ、４１ｂと内側シート３１ａ，４１ａが、製袋の過程で相互に密着することが抑制されるとともに、両者の間にわずかながら隙間が存在することとなるため、指挿入部２２１、２２２への指の挿入性が向上している。
【００７８】
（実施形態４）
図１４は本発明の医療用軟質容器の他の一例の正面図であり、図１５は図１４に示した医療用軟質容器１２の背面図であり、図１６は、医療用軟質容器１２の指挿入部の内側シートと外側シートとを離した状態を示した図であり、図１７は、医療用軟質容器１２の部分拡大図である。図１４〜図１７において、同一名称の部材については，図１〜図７を用いて説明した医療用軟質容器１の場合と同一の符号を付しており、その詳細説明は省略する。
【００７９】
図１４〜図１６に示されるように、医療用軟質容器１２には、指挿入部２２１、２２２を構成する外側シート３１ｂ、４１ｂと内側シート３１ａ，４１ａには、エンボス加工がされておらず、第１凸部及び第２凸部に代えて、外側シート３１ｂ、４１ｂの各々に、医療用軟質容器１０の内側（内側シート３１ａ，４１ａ側）に向かって屈曲した屈曲部８５，８６が形成されている。また、指挿入部２２１に、指挿入部よりも上側に吊り下げ用孔９が設けられている。
【００８０】
屈曲部８５，８６は、その長手方向が指挿入部２２１，２２２の幅方向と平行であり、指挿入部２２１，２２２の全幅に渡って形成されている。屈曲部８５，８６は、例えば、図１７に示されるように、外側シート３１ｂ、４１ｂの屈曲部８５，８６の他の部分よりも厚みが薄くなった薄肉部であり、例えば、先端が鋭利ではないピン等で、外側シート３１ｂ、４１ｂの外側面を押さえつけ、溝を形成することにより形成できる。このように、外側シート３１ｂ、４１ｂが屈曲部８５、８６を含んでいると、外側シート３１ｂと内側シート３１ａの間、及び外側シート４１ｂと内側シート４１ａとの間に、各々、隙間が生じ易く、故に、指挿入部２２１，２２２への指の挿入が行い易い。
【００８１】
図１４〜図１６を用いて説明した例では、屈曲部８５，８６が、外側シートに薄肉部を設けることにより形成されているが、図１８に示されるように、例えば、外側シート３１ｂとして２枚のシート３１１ｂ、３１２ｂを接合したものを用い、外側シート４１ｂとして２枚のシート４１１ｂ、４１２ｂを接合したものを用い、当該２枚のシートの接合部３１３ｂ、４１３ｂの内側端を屈曲部としてもよい。
【００８２】
尚、屈曲部８５，８６が、外側シート及び内側シートのうちの少なくとも一方に形成されていればよい。屈曲部８５，８６を、外側シートと内側シートの両方に形成する場合は、外側シートの屈曲部の屈曲方向と、内側シートの屈曲部の屈曲方向が異なっていると好ましく、又は、外側シートの屈曲部と、内側シートの屈曲部が、相互に、医療用軟質容器の厚み方向に重ならない位置に形成されていると好ましい。
【００８３】
指挿入部２２１には、指挿入部よりも上側に吊り下げ用孔９が設けられているが、これに代えて、図１〜図７を用いて説明した医療用軟質容器１と同様に、指挿入部２２１、２２２の両方に、吊り下げ孔をして使用できる縦長孔等の孔を形成してもよい。
【００８４】
（実施形態５）
図１９は本発明の医療用軟質容器の他の一例の正面図であり、図２０は図１９に示した医療用軟質容器１３の背面図であり、図２１は、医療用軟質容器１３の指挿入部の内側シートと外側シートとを離した状態を示した図である。図１９〜図２１において、同一名称の部材については，図１〜図７を用いて説明した医療用軟質容器１の場合と同一の符号を付しており、その詳細説明は省略する。
【００８５】
図２１からよく分かるように、医療用軟質容器１３では、指挿入部２２１、２２２の外側シート３１ｂ、４１ｂと内側シート３１ａ，４１ａが１枚の連続したシートから形成されており、指挿入部２２１、２２２の頂部において、当該連続したシートが折り曲げられている。本実施形態は、実施形態１の医療用軟質容器１における、第１上縁接合部２２１ｃ及び第２上縁接合部２２２ｃは備えていない。そのため、外側シート３１ｂと内側シート３１ａの間、及び外側シート４１ｂと内側シート４１ａとの間に、各々、隙間が生じ易く、故に、指挿入部２２１，２２２への指の挿入が行い易い。
【００８６】
（実施形態６）
図２２は本発明の医療用軟質容器の他の一例の正面図であり、図２３は図２２に示した医療用軟質容器１４の背面図であり、図２４は、医療用軟質容器１４の指挿入部の内側シートと外側シートとを離した状態を示した図である。図２２〜図２４において、同一名称の部材については，図１４〜図１６を用いて説明した医療用軟質容器１２の場合と同一の符号を付しており、その詳細説明は省略する。
【００８７】
図２４からよく分かるように、医療用軟質容器１４では、各指挿入部２２１，２２２の上縁部と下縁部が、各々、外側シート３１ｂ、４１ｂと内側シート３１ａ，４１ａとを接合した上縁接合部２２１ｃ，２２２ｃと下縁接合部２２１ｄ，２２２ｄとを含んでいる。そして、外側シートと内側シートのうちの互いに接合していない部分においては、外側シート３１ｂ，４１ｂの上下方向の長さが、内側シート３１ａ，４１ａの上下方向の長さよりも長い。そのため、外側シートが対応する内側シートに対して弛むので、外側シート３１ｂと内側シート３１ａの間、及び外側シート４１ｂと内側シート４１ａとの間に、各々、隙間が生じ易く、故に、指挿入部２２１，２２２への指の挿入が行い易い。
【００８８】
外側シートと内側シートのうちの互いに接合していない部分においては、内側シート３１ａ，４１ａの上下方向の長さの方が、外側シート３１ｂ，４１ｂの上下方向の長さよりよりも長くてもよい。この場合、内側シートが対応する外側シートに対して弛む。このような形態でも、外側シート３１ｂと内側シート３１ａの間、及び外側シート４１ｂと内側シート４１ａとの間に、各々、隙間が生じ易く、故に、指挿入部２２１，２２２への指の挿入が行い易い。
【００８９】
図８から図２４を用いて説明した医療用軟質容器では、指挿入部２２１、２２２を構成する外側シートと内側シートに、エンボス加工がされていないか、又は、エンボス加工をすることについて明記していないが、これらの実施形態の医療用軟質容器についても、外側シートおよび内側シートのいずれか一方又は双方に、エンボス加工がされていてもよい。
【００９０】
次に、本発明の医療用軟質容器の一例を含む経腸栄養供給システムの一例について説明する。
【００９１】
図２５に示されるように、本発明の医療用軟質容器の一例である医療用軟質容器１は、例えば、経腸栄養供給システム５０等の栄養供給システムの構成部品として使用される。経腸栄養供給システム５０は、例えば、排出用ポート５に接続された可撓性チューブ５１と、可撓性チューブ５１を押圧して可撓性チューブ５１内を流れる液状物の流量を調節するための流量調整器５２、点滴筒５３、コネクタ５４、コネクタカバー５５等を含む。しかし、本発明の経腸栄養供給システムは、図２５に示された構成に限定されるものではなく、従来公知の経腸栄養供給システムが備える構成部品をさらに含んでいてもよい。
【００９２】
本発明の医療用軟質容器の他の一例である医療用軟質容器１０〜１４についても、医療用軟質容器１と同様に、経腸栄養供給システム５０等の栄養供給システムの構成部品として使用される。
【産業上の利用可能性】
【００９３】
本発明では、経腸栄養法においても好適に使用される医療用軟質容器及びそれを用いた栄養供給システムを提供できる。
【符号の説明】
【００９４】
１，１０，１１，１２，１３，１４  医療用軟質容器
２                                容器本体部
２１                              収容部
２２１，２２２                    指挿入部
２２１ａ、２２２ａ                指挿入部の指の挿入開始側端
２２１ｃ                          第１上縁接合部
２２１ｄ                          第１下縁接合部
２２１ｇ                          指挿入部の内部空間
２２２ｃ                          第２上縁接合部
２２２ｄ                          第２下縁接合部
２２２ｇ                          指挿入部の内部空間
２３                              周縁接合部
２４                              開口部
２５                              ジップ
２６                              排出口
３                                第１面部
３１                              第１シート
３１ａ                            第１内側シート
３１ｂ                            第１外側シート
３２                              第１切り欠き部
３２ａ，３２ｂ                    第１切り欠き部の輪郭線の一部分
３２ｃ                            傾斜線
３２ｄ                            弧状線
３２ｅ                            第１凸部
３２１ｅ                          第１凸部の頂面
３２ｆ                            第２凸部
３２１ｆ                          第２凸部の頂面
４                                第２面部
４１                              第２シート
４１ａ                            第２内側シート
４１ｂ                            第２外側シート
４２                              第２切り欠き部
４２ａ，４２ｂ                    第２切り欠き部の輪郭線の一部分
４２ｃ                            傾斜線
４２ｄ                            弧状線
５                                排出用ポート
６ａ，６ｂ                        第１縦長孔
７ａ，７ｂ                        第２縦長孔
８１，８２，８３，８４            ひだ折り部
８５，８６                        屈曲部
９                                吊り下げ用孔
５０                              経腸栄養供給システム
【図１】
2018030497.tif 000003
【図２】
2018030497.tif 000004
【図３】
2018030497.tif 000005
【図４】
2018030497.tif 000006
【図５】
2018030497.tif 000007
【図６】
2018030497.tif 000008
【図７】
2018030497.tif 000009
【図８】
2018030497.tif 000010
【図９】
2018030497.tif 000011
【図１０】
2018030497.tif 000012
【図１１】
2018030497.tif 000013
【図１２】
2018030497.tif 000014
【図１３】
2018030497.tif 000015
【図１４】
2018030497.tif 000016
【図１５】
2018030497.tif 000017
【図１６】
2018030497.tif 000018
【図１７】
2018030497.tif 000019
【図１８】
2018030497.tif 000020
【図１９】
2018030497.tif 000021
【図２０】
2018030497.tif 000022
【図２１】
2018030497.tif 000023
【図２２】
2018030497.tif 000024
【図２３】
2018030497.tif 000025
【図２４】
2018030497.tif 000026
【図２５】
2018030497.tif 000027
【国際調査報告】
2018030497.tif 000028
2018030497.tif 000029
2018030497.tif 000030
2018030497.tif 000031
2018030497.tif 000032
2018030497.tif 000033
2018030497.tif 000034
2018030497.tif 000035
2018030497.tif 000036
2018030497.tif 000037
2018030497.tif 000038
2018030497.tif 000039